(57)【要約】【課題】高度医療機器の管理を効率的に行うことが可能な医療機器管理システムに関する。【解決手段】本発明の医療機器管理システムは、医療機器に装着されると共に、装着された医療機器の動作状況を検出する検出センサから検出データを取得し、取得された検出データと、固有のタグＩＤデータとを無線によって送信するアクティブ型ＲＦＩＤタグ（１００）と、前記アクティブ型ＲＦＩＤタグ（１００）から送信されたデータを受信すると共に、データ受信時における電波強度を計測し、前記アクティブ型ＲＦＩＤタグ（１００）からの受信データと、計測された電波強度データと、固有の中継機ＩＤデータとを転送する中継機（３００）と、前記中継機（３００）から転送されたデータを収集し、収集されたデータに基づいて医療機器の位置と使用状況を解析する情報処理装置（５００）と、からなることを特徴とする。【選択図】      図９
2012027628.tif 000002
【特許請求の範囲】
【請求項１】
医療機器に装着されると共に、装着された医療機器の動作状況を検出する検出センサから検出データを取得し、取得された検出データと、固有のタグＩＤデータとを無線によって送信するアクティブ型ＲＦＩＤタグと、
前記アクティブ型ＲＦＩＤタグから送信されたデータを受信すると共に、データ受信時における電波強度を計測し、前記アクティブ型ＲＦＩＤタグからの受信データと、計測された電波強度データと、固有の中継機ＩＤデータとを転送する中継機と、
前記中継機から転送されたデータを収集し、収集されたデータに基づいて医療機器の位置と使用状況を解析する情報処理装置と、からなることを特徴とする医療機器管理システム。
【請求項２】
前記中継機によるデータの転送には、無線ＬＡＮが用いられることを特徴とする請求項１に記載の医療機器管理システム。
【請求項３】
前記検出センサが電流センサであることを特徴とする請求項１又は請求項２に記載の医療機器管理システム。
【発明の詳細な説明】
【技術分野】
【０００１】
本発明は、病院内で共用される高度医療機器の管理に好適な医療機器管理システムに関する。
【背景技術】
【０００２】
平成１７年４月から法令により、輸液ポンプ、人工心肺装置、人工呼吸器、レーザー手術装置などの高度医療機器の保守管理は、病院内に設置されたＭＥ（メディカルエンジニアリング）センターに所属する臨床工学技士によって行われるように義務づけられた。
【０００３】
病院内に設けられるＭＥセンターは医療機器の管理とメンテナンスを行う部署である。より具体的には、上記のような各高度医療機器は、ＭＥセンターから各病棟、医局に貸し出される、という形態がとられ、ＭＥセンター側では、各高度医療機器の使用場所、使用状況を把握すると共に、臨床工学技士が各高度医療機器の定期的なメンテナンスを実施するようにしている。
【０００４】
ところで、臨床工学技士は全国的に不足しており、増員が難しく、上記のようなＭＥセンターで想定された業務が厳格に遂行されていない状況が散見されている。例えば、ＭＥセンターの臨床工学技士がメンテナンス対象の高度医療機器を病棟、医局から回収しようとしても、高度医療機器が貸出先から別の病棟、医局に又貸しされて、病院内を探し回るようなケースが多発している。
【０００５】
このような事態に対処するために、例えば、各高度医療機器に位置情報等を発信する新規機能の埋め込みを行うことも考えられるが、このような新機能の追加を行うと、新たに厚生労働省による認可が必要となるため、このような対処は、現在各病院が直面している問題の解決となるものではない。
【０００６】
病院内の医療機器を管理するためのシステムは、これまでいくつか提案されている。例えば、特許文献１（特開２００７−７９９３５号公報）には、医療機器などから抽出した医療機器の稼動状況に関する情報を蓄積する稼動状況記録蓄積手段と、前記蓄積した稼動状況を分析するための稼動状況分析手段とを備え、前記稼動状況分析手段は分析した稼動状況分析結果を表示するための分析結果表示生成手段を有し、前記分析結果表示生成手段で生成される画面において、各時点における個々の検査の種類などの稼動状況に応じて定めた色調や描画パターンを画面上に定めた時間軸に対応した位置に表示するシステムが開示されている。
【特許文献１】特開２００７−７９９３５号公報
【発明の概要】
【発明が解決しようとする課題】
【０００７】
従来の管理システムにおいては、各医療機器の稼働状況を把握することが可能であるが、ＭＥセンターから各病棟、医局に貸し出されるような高度医療機器を管理するように設計されておらず、「背景技術」の欄に記載したような問題に対処することができない、という問題があった。すなわち、従来の管理システムを用いたとしても、ＭＥセンターにおける業務効率が改善される見込みが乏しい、という問題があった。
【課題を解決するための手段】
【０００８】
この発明は、上記課題を解決するものであって、請求項１に係る発明は、医療機器に装着されると共に、装着された医療機器の動作状況を検出する検出センサから検出データを
取得し、取得された検出データと、固有のタグＩＤデータとを無線によって送信するアクティブ型ＲＦＩＤタグと、前記アクティブ型ＲＦＩＤタグから送信されたデータを受信すると共に、データ受信時における電波強度を計測し、前記アクティブ型ＲＦＩＤタグからの受信データと、計測された電波強度データと、固有の中継機ＩＤデータとを転送する中継機と、前記中継機から転送されたデータを収集し、収集されたデータに基づいて医療機器の位置と使用状況を解析する情報処理装置と、からなることを特徴とする医療機器管理システムである。
【０００９】
また、請求項２に係る発明は、請求項１に記載の医療機器管理システムにおいて、前記中継機によるデータの転送には無線ＬＡＮが用いられることを特徴とする。
【００１０】
また、請求項３に係る発明は、請求項１又は請求項２に記載の医療機器管理システムにおいて、前記検出センサが電流センサであることを特徴とする。
【発明の効果】
【００１１】
本発明に係る医療機器管理システムによれば、本発明の実施形態に係る医療機器管理システムによれば、各医療機器の管理を効率的に行うことが可能となり、ＭＥセンターにおける臨床工学技士による業務を大幅に支援することが可能となる。
【図面の簡単な説明】
【００１２】
【図１】本発明の実施形態に係る医療機器管理システムで用いられるアクティブ型ＲＦＩＤタグのブロック構成を示す図である。
【図２】アクティブ型ＲＦＩＤタグの医療機器への装着を説明する図である。
【図３】アクティブ型ＲＦＩＤタグを医療機器に装着した状態示す図である。
【図４】本発明の実施形態に係る医療機器管理システムで用いられるデータテーブルを示す図である。
【図５】医療機器の状態検出センサとして光センサを用いた実施形態を説明する図である。
【図６】アクティブ型ＲＦＩＤタグから無線送信されるデータ構造の一例を示す図である。
【図７】本発明の実施形態に係る医療機器管理システムで用いられる中継機のブロック構成を示す図である。
【図８】本発明の実施形態に係る医療機器管理システムで用いられる中継機の使用状況の一例を示す図である。
【図９】中継機の設置例を説明する図である。
【図１０】本発明の実施形態に係る医療機器管理システムで用いられるデータテーブルを示す図である。
【図１１】中継機から無線ＬＡＮにより送信されるデータ構造の一例を示す図である。
【図１２】情報処理装置（パーソナルコンピューター）による情報収集処理・解析処理等の概念を説明する図である。
【図１３】情報処理装置（パーソナルコンピューター）で収集されるデータの構造例を示す図である。
【図１４】本発明の実施形態に係る医療機器管理システムによる解析処理のフローチャートの一例を示す図である。
【図１５】本発明の実施形態に係る医療機器管理システムによる医療機器の位置・使用状況履歴出力例を示す図である。
【図１６】本発明の実施形態に係る医療機器管理システムによって各医療機器の動作累計時間を出力する例を示す図である。
【図１７】本発明の実施形態に係る医療機器管理システムによって各医療機器の動作累計時間とそれに基づくワーニングを出力する例を示す図である。
【図１８】本発明の実施形態に係る医療機器管理システムによって各医療機器の位置情報と使用状況をリスト表示出力した例を示す図である。
【図１９】本発明の実施形態に係る医療機器管理システムによって各医療機器の位置情報と使用状況をマップ表示出力した例を示す図である。
【発明を実施するための形態】
【００１３】
以下、本発明の実施の形態を図面を参照しつつ説明する。本実施形態に係る医療機器管理システムは、特に、高度医療機器として定義されている医療機器の管理を効率的に行うことを目的とするものであり、よって、ＭＥセンターにおける臨床工学技士による業務を支援しようとするものである。
【００１４】
医療機器はクラスI、クラスI I、クラスI I I、クラスIVの４つのクラスに分類されて
おり、このうち、クラスI I I及びクラスIVが高度医療機器として定義されるものである
。以下、医療機器の分類を示す。
○一般医療機器：クラスIの医療機器；
Ｘ線フィルム、体外診断機器、メス、ピンセット等鋼製小物、手術用不織布ガーゼ、医療脱脂綿、ネブライザー、手術台、手術用照明器、歯科技工用機器、手術用顕微鏡、家庭用救急絆創膏など
○管理医療機器：クラスI Iの医療機器；
ＭＲＩ、Ｘ線撮影装置、心電計、脳波計、レーザー血流計、電子式血圧計、電子内視鏡、消化器用カテーテル、超音波診断装置、補聴器、歯科用合金、超音波歯周用スケーラ、家庭用マッサージ器など
○高度医療機器：クラスI I I・IVの医療機器；
ペースメーカー、人工心臓弁、中心静脈用カテーテル、冠動脈カニューレ、減菌済み合成高分子縫合糸、心血管用ステント、吸収性体内固定用ボルト、透析器、人工骨、人工呼吸器、バルーンカテーテル、血管用カテーテルガイドワイア、輸液ポンプ、減菌済み縫合糸、コンタクトレンズなど
本発明に係る医療機器管理システムでは、上記のように定義される高度医療機器のうち、共同利用可能な機器を主な管理対象として想定しているが、本発明に係る医療機器管理システムで管理可能なものはこれに限らないので、以下、本発明による管理対象は医療機器全般であるものとする。
【００１５】
本発明に係る医療機器管理システムにおいては、管理対象とする医療機器に対して、一つずつアクティブ型ＲＦＩＤタグを装着することによって管理を行う。そこで、まず、本発明に係る医療機器管理システムで用いられるアクティブ型ＲＦＩＤタグについて説明する。図１は本発明の実施形態に係る医療機器管理システムで用いられるアクティブ型ＲＦＩＤタグ１００のブロック構成を示す図である。
【００１６】
図１において、タグＩＤ記憶部１２０は、個々のアクティブ型ＲＦＩＤタグ１００に割り振られている唯一無二で固有のタグＩＤデータを記憶する書き換えができない不揮発性の記憶素子である。また、Ｉ／０部１３０は、アクティブ型ＲＦＩＤタグ１００と他の機器との間でデータの送受を行うことを可能とするためのものである。本発明に係る医療機器管理システムにおいては、このＩ／０部１３０には、アクティブ型ＲＦＩＤタグ１００に装着される、管理対象となる医療機器の動作状態を検出するための機器状態検出センサが取り付けられている。そして、このような機器状態検出センサで取得された検出データがＩ／０部１３０を介して、アクティブ型ＲＦＩＤタグ１００に取り込まれるようになっている。図１乃至図３に示す実施形態においては、この機器状態検出センサとしては、電流センサ２００が用いられる例が示されている。
【００１７】
タグ主制御部１１０は、アクティブ型ＲＦＩＤタグ１００を動作させるメインとなる回路部であり、タグＩＤ記憶部１２０に記憶されるタグＩＤデータと、Ｉ／０部１３０から取り込まれる電流センサ２００によるセンサ検出データとを、無線送信部１５０側に送出する動作を行う回路である。無線送信部１５０は所定の時間間隔（例えば、３０秒間隔など）で、タグＩＤ記憶部１２０に記憶されるタグＩＤデータと、Ｉ／０部１３０から取り込まれるセンサ検出データとを、所定の強度の無線電波によって送出する機能を有している。なお、アクティブ型ＲＦＩＤタグ１００には不図示の蓄電部が設けられており、図１に示される各構成は、この蓄電部から電源を得てそれぞれの動作を行うように構成されている。
【００１８】
次に、以上のように構成されるアクティブ型ＲＦＩＤタグ１００の医療機器への装着について説明する。図２はアクティブ型ＲＦＩＤタグの医療機器への装着を説明する図である。アクティブ型ＲＦＩＤタグ１００の回路構成は、図２に示すような筐体内に収容されており、当該筐体に対して、機器状態検出センサとして、例えば、クランプ機構を有する電流センサ２００などがコードによって接続されるようになっている。
【００１９】
図３はアクティブ型ＲＦＩＤタグ１００を医療機器に装着した状態示す図である。アクティブ型ＲＦＩＤタグ１００は、図３に示すように、医療機器の外装に対して、例えば両面テープなどで固定する。このように、本発明に係る医療機器管理システムで用いられるアクティブ型ＲＦＩＤタグ１００は医療機器の外装に取り付けるため医療機器の改造に当たらず、新たな認可などは不要である。アクティブ型ＲＦＩＤタグ１００に接続されている電流センサ２００は、図３に示すように医療機器のＡＣ電源ケーブル部に取り付ける。
【００２０】
病院内で管理対象とする医療機器の全てに対して、機器状態検出センサが接続されたアクティブ型ＲＦＩＤタグ１００が、以上に説明したように装着される。それぞれのアクティブ型ＲＦＩＤタグ１００には固有のタグＩＤデータが割り振られているので、個々の医療機器をアクティブ型ＲＦＩＤタグ１００から発信されるタグＩＤデータに基づいて、医療機器の特定を行うことが可能となる。また、アクティブ型ＲＦＩＤタグ１００には電流センサ２００などの医療機器の状態を把握するための機器状態検出センサが接続され情報を取得するように構成されているため、これにより個々の医療機器の状態についても特定することが可能となる。
【００２１】
上記のようなアクティブ型ＲＦＩＤタグ１００に基づく医療機器管理を行うために、後述するパーソナルコンピューター（情報処理装置）５００には、どのＩＤのアクティブ型ＲＦＩＤタグ１００が、どの医療機器に装着されているかに係るテーブルが記憶されるようになっている。図４は本発明の実施形態に係る医療機器管理システムで用いられるデータテーブルを示す図である。図４に示すように、当該データテーブルには、特定の医療機器と、当該特定の医療機器に装着されたアクティブ型ＲＦＩＤタグ１００のタグＩＤデータとが対応付けられた形で記憶されるようになっている。
【００２２】
図１乃至図３に示す例においては、医療機器の状態を把握するための機器状態検出センサとして電流センサ２００が用いられ、この電流センサ２００がアクティブ型ＲＦＩＤタグ１００に検出データを送信するように構成されていたが、機器状態検出センサとしてはこれに限らず、他のセンサを用いることができる。
【００２３】
図５は医療機器の状態検出センサとして光センサ２１０を用いた実施形態を説明する図である。本実施形態においては、医療機器の状態を把握するための機器状態検出センサとして光センサ２１０が用いられ、この光センサ２１０がアクティブ型ＲＦＩＤタグ１００に検出データを送信するように構成されている。この光センサ２１０は、医療機器のパイロットランプ等のインジケーターの近傍に取り付けられ、その受光面２２０によってイン
ジケーターの点灯・点滅・消灯などの状態や、「赤」、「緑」、「黄」などの点灯色を検出し、この検出データをアクティブ型ＲＦＩＤタグ１００に送信するように構成される。このような機器状態検出センサとして光センサ２１０を利用した構成によっても、医療機器の動作状況を把握することが可能となる。
【００２４】
以上、機器状態検出センサとして電流センサ２００、光センサ２１０を用いる例について説明したが、機器状態検出センサとして用いることが可能なセンサは、医療機器の動作状況を検出することが可能なものであれば、どのようなものでも用いることができる。例えば、医療機器が動作している状態では、微弱な磁場が発生するが、このような磁場を検出する磁場センサを機器状態検出センサとして用いてもよい。また、医療機器の動作状況を検出するために、医療機器が発する音を検出するマイクロフォンをセンサとして用いるようにしてもよいし、医療機器が発する振動を検出する振動センサを用いるようにしてもよいし、医療機器が発する熱を検出する温度センサを用いるようにしてもよい。
【００２５】
以上のように、医療機器に装着されたアクティブ型ＲＦＩＤタグ１００からは、図６に示すように、アクティブ型ＲＦＩＤタグ１００からは、少なくとも「タグＩＤデータ」、「センサ検出データ」が無線送信される。図６はアクティブ型ＲＦＩＤタグ１００から無線送信されるデータ構造の一例を示す図である。図６における「タグＩＤデータ」はそれぞれのアクティブ型ＲＦＩＤタグ１００に固有に割り振られているＩＤに係るデータであり、「センサ検出データ」はアクティブ型ＲＦＩＤタグ１００に接続される機器状態検出センサからの検出データである。
【００２６】
「センサ検出データ」は、アクティブ型ＲＦＩＤタグ１００に接続される機器状態検出センサの種別によって、形式が異なるものである。例えば、機器状態検出センサとして電流センサ２００が用いられている場合には「電流検出」、「電流非検出」の２つの検出状態を現すデータ形式となり得るし、機器状態検出センサとして光センサ２１０が用いられている場合には「点灯検出」、「点滅検出」、「点灯・点滅検出」の３つの検出状態を現すデータ形式となり得る。要は、医療機器の動作状況に伴うどのような変化を検出するかに応じて、「センサ検出データ」のデータ形式も異なるものとなってくる。
【００２７】
上記のように各医療機器に装着されたアクティブ型ＲＦＩＤタグ１００から無線送信されたデータは、予め定められた病院内の複数の場所に設置されている中継機３００によって受信される。そして、本発明に係る医療機器管理システムにおいては、複数の中継機３００からの受信情報によって、アクティブ型ＲＦＩＤタグ１００が装着された医療機器の位置を割り出すようにしている。そこで、次に、本発明に係る医療機器管理システムで用いられる中継機３００について説明する。図７は本発明の実施形態に係る医療機器管理システムで用いられる中継機３００のブロック構成を示す図である。
【００２８】
図７において、中継機ＩＤ記憶部３２０は、個々の中継機３００に割り振られている唯一無二で固有の中継機ＩＤデータを記憶する書き換えができない不揮発性の記憶素子である。また、受信部３３０は、個々のアクティブ型ＲＦＩＤタグ１００から無線送信されるデータを受信するものである。受信部３３０で受信するデータは、これまで説明したように、アクティブ型ＲＦＩＤタグ１００から無線送信される「タグＩＤデータ」、「センサ検出データ」が含まれるものである。電波強度計測部３４０は、受信部３３０でデータを受信したときにおける電波強度を計測するものである。電波強度計測部３４０で計測された電波強度は、受信部３３０で受信されたデータと共に中継機主制御部３１０に送出される。
【００２９】
中継機主制御部３１０は、中継機３００を動作させるメインとなる回路部であり、中継機ＩＤ記憶部３２０に記憶される中継機ＩＤデータと、アクティブ型ＲＦＩＤタグ１００
からの「タグＩＤデータ」、「センサ検出データ」と、データ受信時の電波強度データとを、無線ＬＡＮ送信部３５０側に送出する動作を行う回路である。
【００３０】
無線ＬＡＮ送信部３５０は周知のプロトコルに基づいて、アクティブ型ＲＦＩＤタグ１００からの受信データ（「タグＩＤデータ」、「センサ検出データ」）と、電波強度計測部３４０で計測された電波強度データと、固有の中継機ＩＤデータとを無線ＬＡＮの受信ポイントに向けて転送する。
【００３１】
ここで、中継機３００の具体的な構成例について説明する。図８は本発明の実施形態に係る医療機器管理システムで用いられる中継機の使用状況の一例を示す図である。中継機３００は、図８に示すような回路を収容した筐体部と、回路に電源を供給するためのＡＣ電源ケーブルから構成することができる。そして、ＡＣ電源ケーブルは病院内の既設のコンセントから電源をとるように構成する。また、ＡＣ電源ケーブルの長さは、例えば１ｍ以内と比較的短く構成する。このような構成であると、既設のコンセント位置と、中継機３００の設置位置を関連づけられ、管理が容易になるというメリットがある。
【００３２】
また、本発明に係る医療機器管理システムにおいては、中継機３００が一般的に広く普及している無線ＬＡＮの通信プロトコルを利用することにより、中継機３００に関連する無線環境を構築する工事では、コンセントと既存無線ＬＡＮ環境を使用することができるため、特別な工事が不要でありシステム作成コストを削減できる、というメリットを享受することができる。
【００３３】
以上のように構成される中継機３００は、適当な空間的間隔をもって病院内に設置される。図９は中継機３００の設置例を説明する図であり、病院ビルディングの所定階の間取り中に、どのように中継機３００が設置されているかを示したものである。図９に示す例では、「医学研究部門」の居室に中継機３００ａが、また「医療実証研究部門」の居室に中継機３００ｂが、また「第１医療情報センター」の居室に中継機３００ｃが、また「第２医療情報センター」の居室に中継機３００ｄが、また「第３医療情報センター」の居室に中継機３００ｅが設置されている場合を示している。また、それぞれの中継機３００の送信部からは、無線ＬＡＮ受信ポイント４００ａにデータ通信することができるようになっている。なお、図９に示す例では、各居室に１つずつ中継機３００を設置する場合について示しているが、各居室に２つ以上の中継機３００を設けてもよいし、アクティブ型ＲＦＩＤタグ１００からの電波を受信可能であれば中継機３００を設けない居室を設けるようにしてもよい。
【００３４】
図９を参照して、本発明に係る医療機器管理システムにおける医療機器の位置情報の特定について説明する。ＩＤ＝１００ａであるアクティブ型ＲＦＩＤタグ１００ａが装着された医療機器からは、これまで説明したように定期的にデータが無線送信される。アクティブ型ＲＦＩＤタグ１００ａからの送信データは中継機３００によって受信されるが、中継機３００ａでは強い電波強度でデータを受信できるのに対して、例えば中継機３００ｂでは弱い電波強度でのデータ受信となる。これによれば、アクティブ型ＲＦＩＤタグ１００ａが装着された医療機器は、中継機３００ａが設置されている「医学研究部門」の居室に存在するものと解析することが可能となる。このように本発明に係る医療機器管理システムにおいては、中継機３００でアクティブ型ＲＦＩＤタグ１００からデータを受信したときの電波強度を参照して、各医療機器の位置情報を特定するようにしている。
【００３５】
上記のような中継機３００の設置情報、すなわち、どのＩＤの中継機３００が、どの場所に設置されているかに係る情報は、所定のテーブルに記憶されるようになっている。このようなテーブルは、パーソナルコンピューター（情報処理装置）５００内の記憶装置に記憶され、医療機器の位置情報等を解析する際の解析処理に利用されるようになっている
。図１０は本発明の実施形態に係る医療機器管理システムで用いられるデータテーブルを示す図である。図４に示すように、当該データテーブルには、設置場所と、当該設置場所に設置された中継機３００の中継機ＩＤデータとが対応付けられた形で記憶されるようになっている。
【００３６】
以上のように病院内各所に設置される中継機３００から無線ＬＡＮによって送信されるデータについて説明する。図１１は中継機３００から無線ＬＡＮにより送信されるデータ構造の一例を示す図である。図１１に示すように、中継機３００における無線ＬＡＮ送信部３５０からは、「中継機ＩＤデータ」、「電波強度データ」、「タグＩＤデータ」、「センサ検出データ」が無線送信されるようになっている。これらのデータのうち、「タグＩＤデータ」、「センサ検出データ」はアクティブ型ＲＦＩＤタグ１００から受信したデータであり、「中継機ＩＤデータ」、「電波強度データ」は中継機３００で付加されたデータである。なお、「電波強度データ」については、例えば「強」、「中」、「弱」などの３段階程度に分けたり、数値化したりすることができる。
【００３７】
さて、以上のような中継機３００から送信されるデータは、病院内に設けられた複数の無線ＬＡＮ受信ポイント４００ａ、４００ｂ、４００ｃなどによって受信され、この受信データはパーソナルコンピューター（情報処理装置）５００にログデータとして蓄積される。図１２は情報処理装置（パーソナルコンピューター）５００による情報収集処理・解析処理等の概念を説明する図である。ここで、パーソナルコンピューター５００としては、ウィンドウズ（登録商標）をＯＳ（オペレーティングシステム）とする現在広く普及しているものを利用することができる。図１２に示すように、各無線ＬＡＮで受信されたデータはログデータとして蓄積され、次に解析処理が実施され、各医療機器の位置情報と使用状況とが求められるようになっている。
【００３８】
これまで説明したように、アクティブ型ＲＦＩＤタグ１００から無線送信される医療機器の状態を現す検出データと、タグＩＤデータとは、中継機３００で受信され、さらに中継機３００のＩＤデータと、電波強度データが付加された上で、無線ＬＡＮに向けて転送される。無線ＬＡＮ受信ポイント４００で受信されたデータは、パーソナルコンピューター５００において、例えば図１３に示すようなデータ構造で蓄積される。図１３は情報処理装置（パーソナルコンピューター）５００で収集されるデータの構造例を示す図である。図１３に示すように、蓄積データでは「ログ取得時間」、「受信アクセスポイント」、「中継機ＩＤデータ」、「受信強度データ」、「タグＩＤデータ」、「センサ検出データ」などの各項目のデータが対応付けられて蓄積される。
【００３９】
本発明に係る医療機器管理システムにおいては、以上のような蓄積データに基づいて、各医療機器の位置と動作状況とを解析する処理が実行されるようになっている。図１４は本発明の実施形態に係る医療機器管理システムによる解析処理のフローチャートの一例を示す図である。なお、本フローチャートに基づく解析処理は、あくまで一例に過ぎない。例えば、本解析処理では、電波強度が等しい中継機３００が複数存在する場合などのことを考慮していないが、このようなことを考慮した解析処理に改善することもできる。
【００４０】
図１４において、ステップＳ１００で解析処理が解析されると、次にステップＳ１０１に進み、ステップＳ１０１においては、着目するタグＩＤデータに関連するログデータ（図１３参照）を取得する。なお、ここで、取得するログデータとしては、例えば、最新のものから３０秒分など、として決めておくことができる。
【００４１】
ステップＳ１０２では、着目タグＩＤデータと、医療機器−タグＩＤデータ（図４）を参照して、医療機器の特定を行う。
【００４２】
次のステップＳ１０３においては、取得されたログデータ（図１３）の「中継機ＩＤデータ」、「電波強度データ」から最も電波強度が強い中継機を特定する。（なお、図１３に示す例では、この中継機は３００ａとなる。）
続くステップＳ１０４では、ステップＳ１０３で特定された中継機から、設置場所−中継機ＩＤデータテーブル（図１０）を参照して当該医療機器の存在場所を特定する。（図１３に示す例では、存在場所は中継機３００ａが設置された「医学研究部門」となる。）
次のステップＳ１０５では、最も「受信強度データ」が強いログデータの「センサ検出データ」から当該医療機器の使用状況を特定する。（図１３に示す例では、「センサ検出データ」が「電流検出」であるので、医療機器は動作中として特定することができる。）
ステップＳ１０６では、次のタグＩＤデータに着目ＩＤを変更して、ステップＳ１０１に戻りループする。
【００４３】
以上のようなフローチャートに基づく、解析処理によれば、各医療機器の位置情報と、動作状況とを特定することが可能となる。そして、解析処理によって特定された各医療機器の情報は、例えば図１５に示すような形式でディスプレイ表示したり、印刷出力したりすることが可能である。図１５は本発明の実施形態に係る医療機器管理システムによる医療機器の位置・使用状況履歴出力例を示す図である。
【００４４】
図１５は、タグＩＤ＝１００ａを有するアクティブ型ＲＦＩＤタグが装着された輸液ポンプＮｏ．１が、どの時間帯に、病院内のどの居室で、どのような使用状態（動作状態か、停止状態か）であるかを示した例である。
【００４５】
次に、上記の解析処理に基づいて各医療機器の動作累計時間を、ディスプレイ表示したり、印刷出力したりする例について説明する。図１６は本発明の実施形態に係る医療機器管理システムによって各医療機器の動作累計時間を出力する例を示す図である。図１６に示すように、各医療機器の動作累計時間を表示するように構成することは、先の解析処理の結果を累積させるプログラムを組むことで簡便に実現することが可能である。なお、ここでの動作累計時間は、それぞれの医療機器が病院に導入されてからの全累計時間としてもよいし、或いは、それぞれの医療機器が所定のメンテナンスを受けたときからの累計時間としてもよい。後者のように構成する場合には、医療機器のメンテナンス時に、いったん累計時間がリセットされるような仕組みを設けるようにしておくことで実現可能である。図１６に示すような表示・出力機能によれば、臨床工学技士などが各医療機器の動作累計時間を簡単に把握することが可能となる。
【００４６】
次に、上記の解析処理に基づいて各医療機器の動作累計時間と動作累計時間に基づくワーニング表示を、ディスプレイ表示したり、印刷出力したりする例について説明する。図１７は本発明の実施形態に係る医療機器管理システムによって各医療機器の動作累計時間とそれに基づくワーニングを出力する例を示す図である。
【００４７】
図１７に示すように、各医療機器の動作累計時間を表示するように構成する場合には、それぞれの医療機器が所定のメンテナンスを受けたときからの累計時間を表示するようにプログラムを組むことが望ましい。このように構成する場合には、医療機器のメンテナンス時に、いったん累計時間がリセットされるような仕組みを設けるようにしておく。
【００４８】
そして、予め設定された累計時間（例えば、１００時間など）を越えて使用されている医療機器が存在する場合には、図１７に示すように「要メンテナンス」などのワーニング表示を行うようにプログラムする。図１７に示すような表示・出力機能によれば、臨床工学技士などがどの医療機器のメンテナンスが必要であるかを、簡単に把握することが可能となる。
【００４９】
次に、上記の解析処理に基づいて各医療機器の位置情報と動作状態情報とを、ディスプレイ表示したり、印刷出力したりする例について説明する。図１８は本発明の実施形態に係る医療機器管理システムによって各医療機器の位置情報と使用状況をリスト表示出力した例を示す図である。
【００５０】
図１８に示すように、位置情報と動作状態情報をリスト表示するように構成する場合には、病院内に導入されている全ての医療機器の、現時点における解析処理の結果をリスト表示させるプログラムを組むことで簡便に実現することが可能である。図１８に示すような表示・出力機能によれば、臨床工学技士などがどの医療機器がどの場所に存在し、かつ、どのように利用されているかを、簡単に把握することが可能となる。
【００５１】
また、上記の解析処理に基づいて各医療機器の位置情報と動作状態情報とを、ディスプレイ表示したり、印刷出力したりする例について説明する。図１９は本発明の実施形態に係る医療機器管理システムによって各医療機器の位置情報と使用状況をマップ表示出力した例を示す図である。
【００５２】
図１９に示すように、位置情報と動作状態情報をマップ表示するように構成する場合には、病院内に導入されている全ての医療機器の、現時点における解析処理の結果を、図示するようにアイコン化し、各医療機器を模したアイコンを病院内のマップに重ね合わせ表示するプログラムを組むことで簡便に実現することが可能である。図１９に示すような表示・出力機能によれば、臨床工学技士などがどの医療機器がどの場所に存在し、かつ、どのように利用されているかを、一目瞭然で把握することが可能となる。
【００５３】
以上のように、本発明の実施形態に係る医療機器管理システムによれば、各医療機器の管理を効率的に行うことが可能となり、ＭＥセンターにおける臨床工学技士による業務を大幅に支援することが可能となる。
【００５４】
また、本発明の実施形態に係る医療機器管理システムによれば、医局、病棟等での医療機器の取り置きを防止でき、真に必要な数の医療機器での運用を可能とすることで医療機器の数を抑制可能であり、休眠資産増加を防止できる、というメリットも享受できる。
【００５５】
また、本発明の実施形態に係る医療機器管理システムによれば、高度医療機器の使用状況、位置情報が自動で情報収集・管理できるため、臨床工学技士の作業負担を大幅に削減できる。
【００５６】
また、本発明の実施形態に係る医療機器管理システムによれば、必要な医療機器を必要な時に回収し、確実なメンテナンスができ、メンテナンス漏れに基づく事故を防止できる。
【００５７】
また、本発明の実施形態に係る医療機器管理システムによれば、高度医療機器の改造が不要であるため、既存機器がそのまま使用できる。
【００５８】
また、本発明の実施形態に係る医療機器管理システムによれば、無線環境を構築する工事はコンセントと既存無線ＬＡＮ環境を使用するため、工事が不要でありシステム作成コストを削減できる。
【符号の説明】
【００５９】
１００、１００ａ・・・アクティブ型ＲＦＩＤタグ、１１０・・・タグ主制御部、１２０・・・タグＩＤ記憶部、１３０・・・Ｉ／０部、１５０・・・無線送信部、２００・・・電流センサ（機器状態検出センサ）、２１０・・・光センサ（機器状態検出センサ）、２
２０・・・受光面、３００、３００ａ、３００ｂ、３００ｃ、３００ｄ、３００ｅ・・・中継機、３１０・・・中継機主制御部、３２０・・・中継機タグＩＤ記憶部、３３０・・・受信部、３４０・・・電波強度計測部、３５０・・・無線ＬＡＮ送信部、４００ａ、４００ｂ、４００ｃ・・・無線ＬＡＮ受信ポイント、５００・・・パーソナルコンピューター（情報処理装置）
【図１】
2012027628.tif 000003
【図２】
2012027628.tif 000004
【図３】
2012027628.tif 000005
【図４】
2012027628.tif 000006
【図５】
2012027628.tif 000007
【図６】
2012027628.tif 000008
【図７】
2012027628.tif 000009
【図８】
2012027628.tif 000010
【図９】
2012027628.tif 000011
【図１０】
2012027628.tif 000012
【図１１】
2012027628.tif 000013
【図１２】
2012027628.tif 000014
【図１３】
2012027628.tif 000015
【図１４】
2012027628.tif 000016
【図１５】
2012027628.tif 000017
【図１６】
2012027628.tif 000018
【図１７】
2012027628.tif 000019
【図１８】
2012027628.tif 000020
【図１９】
2012027628.tif 000021